【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
第１の波長帯域の光を射出する第１の光源部と、
前記第１の波長帯域の光とは波長帯域が異なる第２の波長帯域の光を射出する第２の光源部と、
前記第１の光源部からの光を透過させる透過領域と、前記第２の光源部からの光を反射する反射領域を備える光合成部と、
波長変換部と、
拡散部と、
前記光合成部からの光が入射する第１の位相差板と、
前記第１の位相差板からの光のうち第１の偏光方向の光を前記波長変換部に導くとともに、前記第１の偏光方向の光とは偏光方向が異なる第２の偏光方向の光を前記拡散部に導く偏光分離部と、
前記偏光分離部と前記拡散部との間に設けられた第２の位相差板を備え、
前記第１の波長帯域の光と前記第２の波長帯域の光のうち一方は青色帯域の光であり、他方は赤色帯域の光であることを特徴とする光源装置。
【請求項２】
前記第１の波長帯域の光は前記赤色帯域の光であり、前記第２の波長帯域の光は前記青色帯域の光であることを特徴とする請求項１に記載の光源装置。
【請求項３】
前記光合成部は、前記反射領域を有する反射部と、前記透過領域を有する透過部とが設けられた透明基板を含むことを特徴とする請求項１または２に記載の光源装置。
【請求項４】
前記透明基板に設けられた前記反射部は、前記第１の波長帯域の光を透過させるとともに前記第２の波長帯域の光を反射する色分離部であることを特徴とする請求項３に記載の光源装置。
【請求項５】
前記光合成部は、前記第１の光源部が設けられている側の第１の面と、前記第２の光源部が設けられている側の第２の面を有し、前記第１の面には反射防止膜が設けられていることを特徴とする請求項１乃至４のいずれか一項に記載の光源装置。
【請求項６】
前記光合成部は、前記第１の光源部が設けられている側の第１の面と、前記第２の光源部が設けられている側の第２の面を有し、前記第１の面には前記第１の波長帯域の光を透過させるとともに前記第２の波長帯域の光を反射する色分離部が設けられていることを特徴とする請求項１乃至５のいずれか一項に記載の光源装置。
【請求項７】
前記光合成部は、前記透過領域の面積が前記反射領域の面積よりも広くなるように構成されていることを特徴とする請求項１乃至６のいずれか一項に記載の光源装置。
【請求項８】
前記光合成部は、複数のミラーによって前記反射領域を構成し、前記複数のミラー間の空間によって前記透過領域を構成することを特徴とする請求項１乃至７のいずれか一項に記載の光源装置。
【請求項９】
前記第１の位相差板はλ／２板であるとともに、前記光合成部からの光の進行方向と平行な方向を回転軸として回転可能であり、
前記第２の位相差板はλ／４板であることを特徴とする請求項１乃至８のいずれか一項に記載の光源装置。
【請求項１０】
前記偏光分離部と前記波長変換部との間に設けられた第３の位相差板を備えることを特徴とする請求項１乃至９のいずれか一項に記載の光源装置。
【請求項１１】
前記第３の位相差板はλ／４板であることを特徴とする請求項１０に記載の光源装置。
【請求項１２】
前記偏光分離部は、前記第１の波長帯域の光を含む第１の所定の波長帯域の光及び前記第２の波長帯域の光を含む第２の所定の波長帯域の光に対しては偏光分離を行い、前記第１の所定の波長帯域の光とも前記第２の所定の波長帯域の光とも異なる波長帯域の光は偏光方向によらずに透過あるいは反射することを特徴とする請求項１乃至１１のいずれか一項に記載の光源装置。
【請求項１３】
前記第１の光源部は複数の第１の光源を含み、前記第２の光源部は複数の第２の光源を含み、
前記複数の第１の光源と前記複数の第２の光源のうち、前記赤色帯域の光を射出する方がより多くの光源を有することを特徴とする請求項１乃至１２のいずれか一項に記載の光源装置。
【請求項１４】
前記第１の光源部は、第１の赤色光を射出する第１の赤色光源と、前記第１の赤色光とは波長が異なる第２の赤色光を射出する第２の赤色光源を有することを特徴とする請求項２乃至１３のいずれか一項に記載の光源装置。
【請求項１５】
前記第１の波長帯域の光の偏光方向と、前記第２の波長帯域の光の偏光方向とが互いに異なることを特徴する請求項１乃至１４のいずれか一項に記載の光源装置。
【請求項１６】
前記偏光分離部の前記光合成部の側の面には、前記第１の位相差板からの光のうち第１の偏光方向の光を前記波長変換部に導くとともに、前記第１の偏光方向の光とは偏光方向が異なる第２の偏光方向の光を前記拡散部に導く領域と、位相差付与領域とが設けられていることを特徴とする請求項１乃至１５のいずれか一項に記載の光源装置。
【請求項１７】
第１の波長帯域の光を射出する第１の光源部と、
前記第１の波長帯域の光とは波長帯域が異なる第２の波長帯域の光を射出する第２の光源部と、
前記第１の光源部からの光を透過させるとともに前記第２の光源部からの光を反射するダイクロイックミラーと、
波長変換部と、
拡散部と、
前記ダイクロイックミラーからの光が入射する第１の位相差板と、
前記第１の位相差板からの光のうち第１の偏光方向の光を前記波長変換部に導くとともに、前記第１の偏光方向の光とは偏光方向が異なる第２の偏光方向の光を前記拡散部に導く偏光分離部と、
前記偏光分離部と前記拡散部との間に設けられた第２の位相差板と、
前記偏光分離部と前記波長変換部との間に設けられた第３の位相差板と、を備え、
前記第１の波長帯域の光と前記第２の波長帯域の光のうち一方は青色帯域の光であり、他方は赤色帯域の光であることを特徴とする光源装置。
【請求項１８】
第１の波長帯域の光を射出する第１の光源部と、
前記第１の波長帯域の光とは波長帯域が異なる第２の波長帯域の光を射出する第２の光源部と、
前記第１の光源部からの光を透過させるとともに前記第２の光源部からの光を反射するダイクロイックミラーと、
波長変換部と、
拡散部と、
前記ダイクロイックミラーからの光が入射する第１の位相差板と、
前記第１の位相差板からの光のうち第１の偏光方向の光を前記波長変換部に導くとともに、前記第１の偏光方向の光とは偏光方向が異なる第２の偏光方向の光を前記拡散部に導く偏光分離部と、
前記偏光分離部と前記拡散部との間に設けられた第２の位相差板と、を備え、
前記第１の波長帯域の光と前記第２の波長帯域の光のうち一方は青色帯域の光であり、他方は赤色帯域の光であり、
前記偏光分離部の前記光合成部の側の面には、前記第１の位相差板からの光のうち第１の偏光方向の光を前記波長変換部に導くとともに、前記第１の偏光方向の光とは偏光方向が異なる第２の偏光方向の光を前記拡散部に導く領域と、位相差付与領域とが設けられていることを特徴とする光源装置。
【請求項１９】
請求項１乃至１８のいずれか一項に記載の光源装置と、
前記光源装置からの光を変調する光変調部と、
前記光変調部によって変調された光を被投写面に投写する投写光学系を保持するための保持部を備えることを特徴とする投写型表示装置。
【手続補正２】
【補正対象書類名】明細書
【補正対象項目名】０００７
【補正方法】変更
【補正の内容】
【０００７】
本発明の光源装置は、上記の目的を達成するために、
第１の波長帯域の光を射出する第１の光源部と、
前記第１の波長帯域の光とは波長帯域が異なる第２の波長帯域の光を射出する第２の光源部と、
前記第１の光源部からの光を透過させる透過領域と、前記第２の光源部からの光を反射する反射領域を備える光合成部と、
波長変換部と、
拡散部と、
前記光合成部からの光が入射する第１の位相差板と、
前記第１の位相差板からの光のうち第１の偏光方向の光を前記波長変換部に導くとともに、前記第１の偏光方向の光とは偏光方向が異なる第２の偏光方向の光を前記拡散部に導く偏光分離部と、
前記偏光分離部と前記拡散部との間に設けられた第２の位相差板を備え、前記第１の波長帯域の光と前記第２の波長帯域の光のうち一方は青色帯域の光であり、他方は赤色帯域の光であることを特徴とする。